(57)【要約】【課題】温水洗浄装置の便蓋による節電装置に関する。【解決手段】温水洗浄装置の便蓋による節電装置において、便蓋の開閉状態を感知してそれに対応する電気信号を出力する便蓋センサと、貯蔵タンクから押し出された水量を調節し、節電モードの未設定にて温水洗浄装置の非使用時に、前記便蓋センサの感知によって便座温度及び温水温度を低温に制御できる制御手段とを備えることによって、温水洗浄装置の待機中の消費電力を著しく低減することができる。【選択図】図１
2007309085.tif 000002
【特許請求の範囲】
【請求項１】
洗浄水を供給する給水手段と、
水を貯蔵する貯蔵タンクと、
前記貯蔵タンクを加熱して水が所定温度に維持できるようにする加熱手段と、
節電モードの設定及び節電モード時の温水温度と便座温度を設定するための多数のキーからなるキー部と、
前記貯蔵タンクから押し出された水を使用者の肛門に向けて噴射する洗浄用ノズルと、
前記貯蔵タンクから押し出された水を使用者の局部に向けて噴射するビデ用ノズルと、
前記貯蔵タンクから押し出された水を洗浄用ノズル及びビデ用ノズルに供給して洗浄するノズル洗浄部と、
使用者が便座に着座したことを感知する着座センサと、を有する温水洗浄装置において、
前記便蓋の開閉状態を感知してそれに対応する電気信号を出力する便蓋センサと、
前記貯蔵タンクから押し出された水量を調節し、節電モードの未設定にて温水洗浄装置の非使用時に、前記便蓋センサの感知によって便座温度及び温水温度を低温に制御できる制御手段と、
をさらに含んで構成することを特徴とする温水洗浄装置の便蓋による節電装置。
【請求項２】
前記制御手段は、便蓋センサの感知により便蓋が閉じた状態であれば、便座温度を３０〜３４℃の範囲内で低温に制御して節電することを特徴とする請求項１記載の温水洗浄装置の便蓋による節電装置。
【請求項３】
前記制御手段は、便蓋センサの感知により便蓋が閉じた状態であれば、温水温度を３３〜３７℃の範囲内で低温に制御して節電することを特徴とする請求項１記載の温水洗浄装置の便蓋による節電装置。
【発明の詳細な説明】
【技術分野】
【０００１】
本発明は、温水洗浄装置の便蓋による節電装置に関し、より詳しくは、温水洗浄装置の待機中の消費電力を著しく低減できるようにした温水洗浄装置の便蓋による節電装置（Ｐｏｗｅｒ  ｓａｖｉｎｇ  ｄｅｖｉｃｅ  ｔｈａｔ  ｕｓｅ  ｃｌｏｓｅｔ  ｓｅａｔ  ｃｏｖｅｒ  ｏｆ  ｂｉｄｅｔ）に関するものである。
【背景技術】
【０００２】
一般的に、温水洗浄装置をビデとも称し、人体の肛門と局部を洗浄するために用いられている。
【０００３】
従来の温水洗浄装置は、用便後にノズルから噴射する洗浄水によりトイレットペーパーなしに肛門を洗浄する肛門洗浄と、前記洗浄水により女性局部を自動で洗浄する局部洗浄と、洗浄水を噴射するノズルが連続的に繰り返し前後進することによってマッサージ効果を与えるマッサージ洗浄機能とを有する。
【０００４】
従来の温水洗浄装置は、洗浄水を供給する給水手段と、水を貯蔵する貯蔵タンクと、前記貯蔵タンクを加熱して水が所定温度を維持するようにする加熱手段と、前記貯蔵タンクで排出する水の量を調節する制御手段と、節電モードの設定及び節電モード時に温水温度と便座温度を設定するため多数のキーからなるキー部と、前記貯蔵タンクから押し出される水を使用者の肛門に向けて噴射する洗浄用ノズルと、前記貯蔵タンクから押し出される水を使用者の局部に向けて噴射するビデ用ノズルと、前記貯蔵タンクから押し出される水を洗浄用ノズル及びビデ用ノズルにより噴射し洗浄できるようにしたノズル洗浄部と、使用者が便座に着座しているかを感知する着座センサとで構成される。
【０００５】
このように構成された従来の温水洗浄装置は、使用者がキー部を操作して節電モード時の温水温度と便座温度とを設定することになると、その設定温度が制御手段によって保存でき、この状態において使用者がキー部を操作して節電モードを選択することになると、着座センサにより人が感知されない場合は制御手段により使用者があらかじめ設定した温水温度と便座温度で制御するのである。
【０００６】
しかしながら、従来技術は節電モードが未設定された状態において所定時間の間に温水洗浄装置を使わない場合は便蓋の開閉状態に関係なく使用者が設定した高温度が維持できるように加熱手段が制御されるので、待機中の電力消費量が増加するという問題点があった。
【特許文献１】韓国特許公開１９９６−１７７７４
【発明の開示】
【発明が解決しようとする課題】
【０００７】
したがって、前記問題点を解決するために本発明は、温水洗浄装置の待機中の消費電力を著しく低減できるようにした温水洗浄装置の便蓋による節電装置を提供することにその目的がある。
【課題を解決するための手段】
【０００８】
前記技術的課題を解決するために添付の図１ないし図３を参照しながら本発明の実施形態を説明する。
【０００９】
洗浄水を供給する給水手段１と、水を貯蔵する貯蔵タンク２と、前記貯蔵タンク２を加熱して水が所定温度に維持できるようにする加熱手段３と、前記貯蔵タンク２から押し出された水量を調節する制御手段８と、節電モードの設定及び節電モード時に温水温度と便座温度を設定するための多数のキーからなるキー部７と、前記貯蔵タンク２から押し出された水を使用者の肛門に向けて噴射する洗浄用ノズル４と、前記貯蔵タンク２から押し出された水を使用者の局部に向けて噴射するビデ用ノズル５と、前記貯蔵タンク２から押し出された水を洗浄用ノズル４及びビデ用ノズル５で供給して洗浄できるようにするノズル洗浄部６と、使用者が便座に着座したのかを感知する着座センサ９とから構成された温水洗浄装置において、
前記便蓋１２の開閉状態を感知してそれに対応する電気信号を出力する便蓋センサ１０と、
節電モードの未設定にて温水洗浄装置の非使用時に前記便蓋センサ１０の感知結果で便座及び温水温度を低温に制御できる制御手段８と、
をさらに含めて構成したことを特徴とする。
【００１０】
このとき、前記制御手段８は、便蓋センサ１０の感知の結果、便蓋１２が閉じた状態であれば便座温度３０〜３４℃、温水温度３３〜３７℃になるように制御し節電することを特徴とする。
【発明の効果】
【００１１】
本発明は、便蓋の開閉状態を感知し、それに対応する電気信号を出力する便蓋センサと、節電モードの未設定にて温水洗浄装置の非使用時に前記便蓋センサの感知結果で便座及び温水温度を低温に制御できる制御手段とを備えることによって温水洗浄装置の待機中の消費電力が著しく低減できるという効果が期待できる。
【発明を実施するための最良の形態】
【００１２】
次に、本発明の好適な実施形態の構成及び動作について説明する。
【００１３】
まず、節電モードの未設定の状態で、図２のように便蓋１２が開いていると、便蓋センサ１０が便蓋１２の開いた状態を感知して制御手段８にその情報を伝送し、制御手段８は便蓋１２が開いたことを感知した後に着座センサ９の感知情報として所定時間の間に温水洗浄装置が使われているかの可否を判断する。
【００１４】
前記判断により所定時間の間に温水洗浄装置が使用されていないことに判断されると、制御手段８は便座１１の温度と温水温度を設定温度に維持する。
【００１５】
すなわち、節電モードの未設定状態にて便蓋１２が開いていると便座温度と温水温度が設定温度に維持されて電力が消費される。
【００１６】
しかしながら、図３のように便蓋１２を閉じると、便蓋１２の閉じている状態を便蓋センサ１０が感知して制御手段８にその情報を伝送し、前記制御手段８は節電モードの未設定にて所定時間の間に温水洗浄装置が使用されていなく、便蓋１２も閉じていることを感知して便座温度を３０〜３４℃、温水温度を３３〜３７℃の低温に維持できるようにすることによって、待機中の電力消費量を著しく低減できるようにする。
【００１７】
一方、節電モードが設定された状態においては、制御手段８は、便蓋１２が開いている状態で便座温度を２８℃、温水温度を２５℃に維持し、パワー節電モードが設定された状態では、便蓋１２が開いている場合は便座及び温水に負荷される通電を遮断して電力消耗が起きないようにする。
【図面の簡単な説明】
【００１８】
【図１】本発明に係る温水洗浄装置の便蓋による節電装置を示すブロック図である。
【図２】本発明において温水洗浄装置の便蓋が開いた状態を示す図である。
【図３】本発明において温水洗浄装置の便蓋が閉じた状態を示す図である。
【符号の説明】
【００１９】
７  キー部
１１  便座
１２  便蓋
【図１】
2007309085.tif 000003
【図２】
2007309085.tif 000004
【図３】
2007309085.tif 000005